(57)【要約】【課題】梱包物が確実に保持されて収納され、同梱包物には外部からの衝撃が伝わり難く、梱包箱も経済的で優れたものとなる梱包構造を提供する。【解決手段】上面が開口した箱体１の開口縁に同開口を開閉する蓋部２を一体に延設してなる梱包箱Ａとこの梱包箱Ａ内に収納保持される梱包物Ｂとでなる梱包構造において、箱体１の開口縁の蓋部２が延設されない相対向する二辺に内下方へと折曲した内壁部３を一体に延設し、この内壁部３と箱体１の側壁部４との間にスペースＳ１が形成されるようにして同内壁部３の下端を同箱体１の底部５に固定し、両内壁部３の相対向する中程位置に梱包物Ｂの両端を係合保持する係合用開口６を形成し、この両係合用開口６に梱包物Ｂの両端が係合保持された状態で同梱包物Ｂの上下に間隔スペースＳ２が形成されるようになした。【選択図】　　　　　図１
2004051152.tif 000002
【特許請求の範囲】
【請求項１】
上面が開口した箱体の開口縁に同開口を開閉する蓋部を一体に延設してなる梱包箱とこの梱包箱内に収納保持される梱包物とでなる梱包構造であって、箱体の開口縁の蓋部が延設されない相対向する二辺に内下方へと折曲した内壁部を一体に延設し、この内壁部と箱体の側壁部との間にスペースが形成されるようにして同内壁部の下端を同箱体の底部に固定し、両内壁部の相対向する中程位置に梱包物の両端を係合保持する係合用開口を形成し、この両係合用開口に梱包物の両端が係合保持された状態で同梱包物の上下に間隔スペースが形成されるようになした梱包構造。
【請求項２】
梱包物が平板体とこの平板体の表面側に突設される表示針とこの表示針を駆動するものであって同平板体の裏面側に突設される駆動制御部品とを備えたものであり、内壁部の係合用開口を同平板体の両側縁端が挿入されて係合保持されるよう横長スリット状に形成したことを特徴とする請求項１記載の梱包構造。
【請求項３】
平板体の両側縁端へ向かってその巾寸法が徐々に小さくなるよう形成されており、横長スリット状の係合用開口の長さ寸法を同平板体の挿入された両側縁端の両側部分が当止する程度に設定し、この挿入当止された状態で同平板体の両側縁端と箱体の側壁部との間に余裕スペースが形成されるようになしたことを特徴とする請求項２記載の梱包構造。
【請求項４】
横長スリット状の係合用開口の上縁部分に外方へ折曲して平板体の上面に当接される押え片を一体に延設したことを特徴とする請求項２又は３記載の梱包構造。
【請求項５】
平板体の表面側を上向きにして梱包物を梱包箱内に収納保持させたことを特徴とする請求項２〜４のいずれか一つに記載の梱包構造。
【発明の詳細な説明】
【０００１】
【発明の属する技術分野】
本発明は、上面が開口した箱体の開口縁に同開口を開閉する蓋部を一体に延設してなる梱包箱とこの梱包箱内に収納保持される梱包物とでなる梱包構造に関するものである。
【０００２】
【従来の技術】
従来から、特開昭６０−１８３３７９号公報に示される如く、照明器具である梱包物を梱包箱内に収納保持した梱包構造が知られている。この梱包構造にあっては、梱包箱内にこれとは別体の緩衝材を納め、収納される照明器具を同緩衝材によって保持させている。この場合、緩衝材はダンボール紙等を折り曲げて一体に形成されたもので、照明器具の各部品が同緩衝材によって保護され収納されるものである。しかしながら、この梱包構造では、梱包箱と別に緩衝材を要しており、梱包材料が複雑でコスト高になるという問題がある。
【０００３】
又、特開平３−２８９４３７号公報に示される如く、ダンボール紙等の一枚の厚紙からなる組立箱である厚紙製物品包装箱が知られている。この厚紙製物品包装箱にあっては、箱体の開口縁の一部を内方へ折り曲げて受け片を形成し、梱包物を同受け片に保持させて収納している。この場合、ダンボール紙等の一枚の厚紙を折り曲げて一体に形成されるので、梱包材料はコスト安になる。しかしながら、この厚紙製物品包装箱では、梱包物を保持する受け片が箱体の上下に別々に形成され固定されないため、同梱包物は動き易く確実に保持されないという問題がある。
【０００４】
【発明が解決しようとする課題】
ところで、メータ等の補修部品である梱包物を梱包箱内に収納保持した梱包構造では、従来、梱包箱をプラスチックで二分割して形成し、両者を合体させてその内部に梱包物を収納保持していた。すなわち、梱包物が平板体とこの平板体の表面側に突設される表示針とこの表示針を駆動するものであって同平板体の裏面側に突設される駆動制御部品とを備えたものであり、二分割した梱包箱間に平板体の周縁部分を保持させ、表裏の表示針、駆動制御部品が梱包箱の内面に当接しないよう収納していた。
【０００５】
しかしながら、この場合、プラスチックでなる梱包箱を使用後に廃棄するものであり、その処理に問題があり、コスト的にも不経済となるものであった。そこで、上記従来の技術のように、梱包箱としてダンボール紙等の厚紙で形成されたものを使用したいところであるが、この場合には、平板体の表裏に表示針と駆動制御部品とが突設された梱包物であるため、これ等が外部からの衝撃で変形したり破損したりし易く、確実に保護された状態で収納保持させることは困難であると考えられていた。
【０００６】
本発明は、上記従来の技術における問題を悉く解決するために発明されたもので、その課題は、梱包物が確実に保持されて収納され、同梱包物には外部からの衝撃が伝わり難く、梱包箱も経済的で優れたものとなる梱包構造を提供することである。
【０００７】
【課題を解決するための手段】
本発明の請求項１記載の梱包構造は、上面が開口した箱体の開口縁に同開口を開閉する蓋部を一体に延設してなる梱包箱とこの梱包箱内に収納保持される梱包物とでなる梱包構造であって、箱体の開口縁の蓋部が延設されない相対向する二辺に内下方へと折曲した内壁部を一体に延設し、この内壁部と箱体の側壁部との間にスペースが形成されるようにして同内壁部の下端を同箱体の底部に固定し、両内壁部の相対向する中程位置に梱包物の両端を係合保持する係合用開口を形成し、この両係合用開口に梱包物の両端が係合保持された状態で同梱包物の上下に間隔スペースが形成されるようになしたものである。
【０００８】
したがって、この場合、両内壁部の相対向する中程位置に形成された係合用開口に梱包物の両端が係合保持されるので、この梱包物は梱包箱内で確実に保持される。ここでは、箱体の開口縁から内下方へと一体に延設された内壁部の下端が同箱体の底部に固定されているので、この内壁部によって梱包箱は補強されており、梱包物が同梱包箱内で動かないよう強固に保持される。しかも、収納保持される梱包物の上下には間隔スペースが形成されるので、この梱包物には上下からの衝撃が伝わり難くて、同梱包物の変形や破損は防止される。又、梱包物を保持する内壁部は箱体と一体に形成されていて、ダンボール紙その他の厚紙等で一体に梱包箱を容易且つ安価に製作することができる。
【０００９】
本発明の請求項２記載の梱包構造は、上記請求項１記載の梱包構造において、梱包物が平板体とこの平板体の表面側に突設される表示針とこの表示針を駆動するものであって同平板体の裏面側に突設される駆動制御部品とを備えたものであり、内壁部の係合用開口を同平板体の両側縁端が挿入されて係合保持されるよう横長スリット状に形成したことを特徴とするものである。
【００１０】
したがって、この場合は特に、梱包物が平板体とこの平板体の表面側に突設される表示針とこの表示針を駆動するものであって同平板体の裏面側に突設される駆動制御部品とを備えたものであり、内壁部に形成された横長スリット状の係合用開口に平板体の両側縁端が挿入されて係合保持され、この平板体は変形しないよう確実に保持され、同平板体の表裏に突設された表示針及び駆動制御部品の変形や破損も防止される。
【００１１】
本発明の請求項３記載の梱包構造は、上記請求項２記載の梱包構造において、平板体の両側縁端へ向かってその巾寸法が徐々に小さくなるよう形成されており、横長スリット状の係合用開口の長さ寸法を同平板体の挿入された両側縁端の両側部分が当止する程度に設定し、この挿入当止された状態で同平板体の両側縁端と箱体の側壁部との間に余裕スペースが形成されるようになしたことを特徴とするものである。
【００１２】
したがって、この場合は特に、平板体の両側縁端へ向かってその巾寸法が徐々に小さくなるよう形成されており、この平板体の両側縁端が横長スリット状の係合用開口に挿入された際、同両側縁端の両側部分が同係合用開口の長手方向の両端部に当止されるので、箱体の側壁部と同両側縁端との間には余裕スペースが確保され、同平板体には外部からの衝撃が直に伝わらなくなって、その変形は確実に防止され、そのずれ動きも防止される。
【００１３】
本発明の請求項４記載の梱包構造は、上記請求項２又は３記載の梱包構造において、横長スリット状の係合用開口の上縁部分に外方へ折曲して平板体の上面に当接される押え片を一体に延設したことを特徴とするものである。
【００１４】
したがって、この場合は特に、平板体の両側縁端が横長スリット状の係合用開口に挿入された際、この係合用開口の上縁部分に外方へ折曲するように延設された押え片が同平板体の上面に当接されるので、この平板体はそのずれ動きが確実に防止され、衝撃に対してもより安定した状態で保持される。
【００１５】
本発明の請求項５記載の梱包構造は、上記請求項２〜４のいずれか一つに記載の梱包構造において、平板体の表面側を上向きにして梱包物を梱包箱内に収納保持させたことを特徴とするものである。
【００１６】
したがって、この場合は特に、梱包物を梱包箱内に収納する際、平板体の表面側にある表示針を見ながら同平板体の両側縁端を係合用開口に挿入することができ、その際、この係合用開口に同表示針が食い込まれないようにして、同表示針の変形や破損を確実に防止することができる。
【００１７】
【発明の実施の形態】
図１〜６は、本発明の請求項１〜５全てに対応した一実施形態である梱包構造を示し、この梱包構造は、上面が開口した箱体１の開口縁に同開口を開閉する蓋部２を一体に延設してなる梱包箱Ａとこの梱包箱Ａ内に収納保持される梱包物Ｂとでなる。そして、この梱包構造では、箱体１の開口縁の蓋部２が延設されない相対向する二辺に内下方へと折曲した内壁部３を一体に延設し、この内壁部３と箱体１の側壁部４との間にスペースＳ１が形成されるようにして同内壁部３の下端を同箱体１の底部５に固定し、両内壁部３の相対向する中程位置に梱包物Ｂの両端を係合保持する係合用開口６を形成し、この両係合用開口６に梱包物Ｂの両端が係合保持された状態で同梱包物Ｂの上下に間隔スペースＳ２が形成されるようになしている。
【００１８】
又、この実施形態の梱包構造では、梱包物Ｂが平板体７とこの平板体７の表面側に突設される表示針８とこの表示針８を駆動するものであって同平板体７の裏面側に突設される駆動制御部品９とを備えたものであり、内壁部３の係合用開口６を同平板体７の両側縁端１０が挿入されて係合保持されるよう横長スリット状に形成している。この場合、平板体７の両側縁端１０へ向かってその巾寸法ａが徐々に小さくなるよう形成されており、横長スリット状の係合用開口６の長さ寸法ｂを同平板体７の挿入された両側縁端１０の両側部分が当止する程度に設定し、この挿入当止された状態で同平板体７の両側縁端１０と箱体１の側壁部４との間に余裕スペースＳ３が形成されるようになしている。更に、横長スリット状の係合用開口６の上縁部分に外方へ折曲して平板体７の上面に当接される押え片１１を一体に延設しており、又、同平板体７の表面側を上向きにして梱包物Ｂを梱包箱Ａ内に収納保持させてもいる。
【００１９】
以下、この実施形態の梱包構造を詳細に説明する。梱包物Ｂはメータ等の補修部品であり、図１、２に示す如く、平板体７の表面側に表示針８を突設して、この表示針８を駆動する駆動制御部品９を同平板体７の裏面側に突設したものである。平板体７は略矩形状で、その一辺（図２では上辺）が外方へ膨らむように湾曲しており、これと対向する辺（図２では下辺）は略直線状であるがその中程部分には切欠部が形成されている。又、平板体７の前記両辺に隣接する両側の対向辺（両側縁端１０）はいずれも略直線状であり、よって、同平板体７の両側縁端１０へ向かってその巾寸法ａが徐々に小さくなるよう形成されている。
【００２０】
そして、平板体７の両側縁端１０は後述する梱包箱Ａの両係合用開口６に各々挿入され、その際、同両側縁端１０に隣接する両側部分（図２では上辺、下辺の両端付近）が横長スリット状の同係合用開口６の長手方向の端部に摺接して当止される。この場合、両側縁端１０から離れる程徐々に大きくなる巾寸法ａが係合用開口６の長さ寸法ｂと等しくなった時点で、平板体７の両側縁端１０はそれ以上挿入されなくなって当止される。
【００２１】
又、その際、係合用開口６の上縁部分から外方へ折曲延設された押え片１１が平板体７の上面に摺接され、前記当止された後の状態では、この押え片１１が同平板体７の上面を押えて保持する。ところで、平板体７の前記切欠部では、その裏面側に駆動制御部品９がネジ止め固定されており、この駆動制御部品９から回動軸を介して突出される表示針８は同切欠部を通して平板体７の表面側に突設されている。そして、梱包物Ｂは梱包箱Ａ内に収納され、蓋部２が閉じられて梱包作業は終了する。
【００２２】
梱包状態で、前記平板体７の両側縁端１０は箱体１の側壁部４と内壁部３との間のスペースＳ１内に位置して、この両側縁端１０と同箱体１の側壁部４との間に余裕スペースＳ３が確保され、表示針８と梱包箱Ａの蓋部２との間及び駆動制御部品９と同箱体１の底部５との間に各々間隔スペースＳ２が確保される。それ故、平板体７は梱包箱Ａ内でずれ動かないよう水平状態に安定して保持され、梱包物Ｂが外部から衝撃を受けないように収納保持される。
【００２３】
梱包箱Ａは、図３に示す如く、ダンボール紙その他の厚紙等の一枚を打ち抜いて形成され、これを、図４〜６に示す如く、箱型に折り曲げ組み立てて製作される。なお、図３、４では、折り曲げる箇所を折り曲げ線として一点鎖線で表示している。箱体１の底部５は略正方形状で、その四辺から各々側壁部４、４１が延設され、各四辺には折り曲げ線が設けられている。一方の側壁部４１の端縁には折り曲げ線が設けられ、この折り曲げ線を介して前記底部５と略同形状の蓋部２が延設されており、この蓋部２の端縁略中央には折り曲げ線を介して係合片４２が延設されている。
【００２４】
前記一方の側壁部４１と対向する他方の側壁部４１の端縁には折り曲げ線が設けられ、この折り曲げ線を介して受け止め片４３が延設されており、同折り曲げ線の略中央には前記係合片４２が挿入係止される受け溝４４が形成されている。この受け溝４４の中程には側壁部４１側へ湾曲して膨らんだ略半円形状の切欠開口が形成されており、同受け溝４４に前記係合片４２を容易に抜き差しすることができる。前記残る両側壁部４の端縁には折り曲げ線が設けられ、この折り曲げ線を介して内壁部３が延設されている。
【００２５】
内壁部３は上片３１と縦片３２と下片３３とでなり、各片の間に各々折り曲げ線が設けられている。そして、内壁部３の縦片３２に横長スリット状の係合用開口６が形成されるもので、この場合、縦片３２に下片３３側へ湾曲して膨らんだ切溝を穿設してこの切溝の両端間を結ぶ折り曲げ線を設け、この折り曲げ線で折曲することにより、係合用開口６と共にその上縁部分に外方へ折曲して延設される押え片１１が形成される。押え片１１はその端縁が湾曲状に膨らんだ形状となるので、前記梱包物Ｂの挿入される平板体７の上面に対しスムーズに摺接し、同平板体７の上面に安定して押圧される。
【００２６】
前記両側壁部４の両側縁には折り曲げ線が設けられ、この折り曲げ線を介して結合片４５が延設されている。組み立てる際には、底部５に対し各側壁部４、４１を起立するように折り曲げ、結合片４５を内方へ折り曲げて側壁部４１の内面に貼着固定し、内壁部３の上片３１を略水平となるように内方へ折り曲げ、縦片３２を略垂直となるように下方へ折り曲げ、下片３３を内方へ略水平となるように折り曲げて箱体１の底部５上面に貼着固定するものであり、これによって、同内壁部３の縦片３２と同箱体１の側壁部４との間に矩形中空状の前記スペースＳ１が形成される。なお、この場合、下片３３が外方へ略水平となるように折り曲げられて、箱体１の底部に当接されることのみで固定されるものであっても良い。
【００２７】
又、一方の側壁部４１の端縁に延設される受け止め片４３は、前記内壁部３の上片３１上に当接するよう内方へ折り曲げられ、この状態で、他方の側壁部４１の端縁に延設される蓋部２が折り曲げられて開閉される。蓋部２を閉じた状態では、前記受け溝４４に係合片４２が挿入係止される。このように製作された梱包箱Ａ内に、蓋部２を開けた状態で、前記梱包物Ｂがその表示針８が突設される表面側を上向きにして上方から収納され、平板体７の両側縁端１０が両係合用開口６に各々挿入保持され、その際、内壁部３が若干外方へ変形することで容易に挿入され、最後に同蓋部２を閉じて梱包作業は終了するものであるが、同梱包箱Ａの上から包装紙や包装バンドが巻着されても良い。
【００２８】
したがって、この実施形態の梱包構造においては、両内壁部３の相対向する中程位置に形成された係合用開口６に梱包物Ｂの両端が係合保持されるので、この梱包物Ｂは梱包箱Ａ内で確実に保持される。ここでは、箱体１の開口縁から内下方へと一体に延設された内壁部３の下端が同箱体１の底部５に固定されているので、この内壁部３によって梱包箱Ａは補強されたものとなり、梱包物Ｂが同梱包箱Ａ内で動かないよう強固に保持される。しかも、収納保持される梱包物Ｂの上下には間隔スペースＳ２が形成確保されるので、この梱包物Ｂには上下からの衝撃が伝わり難くて、同梱包物Ｂの変形や破損は防止される。又、梱包物Ｂを保持する内壁部３は箱体１と一体に形成されていて、ダンボール紙その他の厚紙等で一体に梱包箱Ａを容易且つ安価に製作することができる。
【００２９】
又、この実施形態の梱包構造においては、梱包物Ｂが平板体７とこの平板体７の表面側に突設される表示針８とこの表示針８を駆動するものであって同平板体７の裏面側に突設される駆動制御部品９とを備えたものであり、内壁部３に形成された横長スリット状の係合用開口６に平板体７の両側縁端１０が挿入されて係合保持され、この平板体７は変形しないよう確実に保持され、同平板体７の表裏に突設された表示針８及び駆動制御部品９の変形や破損も防止される。
【００３０】
更に、この場合、平板体７の両側縁端１０へ向かってその巾寸法ａが徐々に小さくなるよう形成されており、この平板体７の両側縁端１０が横長スリット状の係合用開口６に挿入された際、同両側縁端１０の両側部分が同係合用開口６の長手方向の両端部に当止されてそれ以上挿入されなくなるので、箱体１の側壁部４と同両側縁端１０との間には余裕スペースＳ３が確保され、同平板体７には外部からの衝撃が直接的には伝わらなくなって、その変形が確実に防止され、そのずれ動きも防止される。
【００３１】
又、ここで、平板体７の両側縁端１０が横長スリット状の係合用開口６に挿入された際、この係合用開口６の上縁部分に外方へ折曲するように延設された押え片１１が同平板体７の上面に当接されるので、この平板体７はそのずれ動きが確実に防止され、衝撃に対してもより安定した状態で保持される。しかも、梱包物Ｂを梱包箱Ａ内に収納する際、平板体７の表面側にある表示針８を見ながら同平板体７の両側縁端１０を係合用開口６に挿入することができ、その際、この係合用開口６に同表示針８が食い込まれないようにして、同表示針８の変形や破損を確実に防止することができる。
【００３２】
【発明の効果】
上述の如く、本発明の請求項１記載の梱包構造においては、内壁部によって梱包箱が補強され、梱包物は動かないよう強固に保持され、その変形や破損も防止され、又、同梱包箱をダンボール紙その他の厚紙等で容易且つ安価に製作することができる。
【００３３】
又、本発明の請求項２記載の梱包構造においては、特に、梱包物が平板体に表示針及び駆動制御部品を突設したものであり、同平板体は変形しないよう確実に保持され、同表示針及び駆動制御部品の変形や破損も防止される。
【００３４】
又、本発明の請求項３記載の梱包構造においては、特に、平板体の両側縁端を係合用開口に挿入した際、箱体の側壁部と同両側縁端との間に余裕スペースが確保され、同平板体には外部からの衝撃が直に伝わらなくなって、その変形は確実に防止され、そのずれ動きも防止される。
【００３５】
又、本発明の請求項４記載の梱包構造においては、特に、平板体の両側縁端を係合用開口に挿入した際、この平板体の上面に押え片が当接されることで、同平板体はそのずれ動きが確実に防止され、衝撃に対してもより安定した状態で保持される。
【００３６】
又、本発明の請求項５記載の梱包構造においては、特に、梱包物を梱包箱内に収納する際、平板体の表面側にある表示針を見ながら同平板体の両側縁端を係合用開口に挿入することができて、同表示針の変形や破損を確実に防止することができる。
【図面の簡単な説明】
【図１】本発明の一実施形態である梱包構造を示す縦断面図。
【図２】同梱包構造を示す横断面図。
【図３】同梱包構造における梱包箱の展開状態を示す平面図。
【図４】同梱包箱の組立途中の状態を示す平面図。
【図５】同梱包箱の組立途中の状態を示す斜視図。
【図６】同梱包箱の蓋部を開けた状態を示す斜視図。
【符号の説明】
１　箱体
２　蓋部
３　内壁部
４　側壁部
５　底部
６　係合用開口
７　平板体
８　表示針
９　駆動制御部品
１０　縁端
１１　押え片
Ａ　梱包箱
Ｂ　梱包物
Ｓ１　スペース
Ｓ２　間隔スペース
Ｓ３　余裕スペース
【図１】
2004051152.tif 000003
【図２】
2004051152.tif 000004
【図３】
2004051152.tif 000005
【図４】
2004051152.tif 000006
【図５】
2004051152.tif 000007
【図６】
2004051152.tif 000008